(57)【要約】【課題】トレッキングや登山における任意の踏破地点で結ばれる踏破区間を踏破した際の踏破日時と踏破地点に存在したことを証明する情報を記載した信頼性の高い踏破証明書を作成・発行することができる踏破証明書発行システムを提案する。【解決手段】任意の踏破地点夫々で端末装置から送信されユーザーがこの踏破地点に存在したことを証明する踏破証明データとして、位置データと画像データと時間データとを受信する踏破証明データ受信手段と、前記時間データと同じ時間帯の気象データを取得する気象データ取得手段と、地図データを取得する地図データ取得手段と、踏破証明書データを作成する踏破証明書データ作成手段と、管理サーバにアクセスしてきた端末装置に踏破証明書データを送信する踏破証明書データ送信手段とを有する踏破証明書発行システム。【選択図】図２
2012083912.tif 000002
【特許請求の範囲】
【請求項１】
任意の踏破地点で結ばれる踏破区間を踏破したことを証明する踏破証明書を前記踏破区間を踏破したユーザーに発行する管理サーバを備えた踏破証明書発行システムであって、前記管理サーバは、前記任意の踏破地点夫々で端末装置から送信されユーザーがこの踏破地点に存在したことを証明する踏破証明データとしての前記踏破地点の位置データと前記踏破地点で撮影した画像データと前記画像データを取得した画像データ取得時刻若しくは該画像データを送信した画像データ送信時刻を記憶した時間データとを受信する踏破証明データ受信手段と、前記時間データと同じ時間帯の気象データを取得する気象データ取得手段と、前記踏破証明データが送信された第一踏破地点を示す第一踏破地点表示と前記踏破証明データが送信された第二踏破地点を示す第二踏破地点表示とを付記して前記踏破区間を表示した地図データを取得する地図データ取得手段と、所定のフォーマットに前記踏破区間の第一踏破地点と第二踏破地点とにおける夫々の前記踏破証明データ及び前記気象データ並びに前記踏破区間を示す第一踏破地点表示と第二踏破地点表示とを付与した地図データをレイアウトした踏破証明書データを作成する踏破証明書データ作成手段と、前記管理サーバにアクセスしてきた端末装置に踏破証明書データを送信する踏破証明書データ送信手段とを有することを特徴とする踏破証明書発行システム。
【請求項２】
前記管理サーバは、前記ユーザーが所定ルートの予め定めた踏破地点、若しくは所定ルートの前記ユーザーが選んだ踏破地点で携帯型の前記端末装置の画像データ取得手段でユーザーが取得した前記画像データと、この画像データを取得した際に自動的に付与される前記時間データと、前記位置データとを受信する前記踏破証明データ受信手段を有することを特徴とする請求項１記載の踏破証明書発行システム。
【請求項３】
前記位置データは、緯度経度データであることを特徴とする請求項１，２のいずれか１項に記載の踏破証明書発行システム。
【請求項４】
前記気象データは、気象庁が提供する気象衛星画像データであり、この気象衛星画像データは第三者認証機関から前記気象データ取得手段を用いて取得することを特徴とする請求項１〜３のいずれか１項に記載の踏破証明書発行システム。
【請求項５】
前記踏破地点証明データを受信した際に、この踏破地点証明データに第三者が発行する認証コードを付与するために第三者認証機関に該踏破地点証明データを送信し、前記第三者認証機関が認証コードを付与した前記踏破地点証明データを受信する認証データ付与手段を有することを特徴とする請求項１〜４のいずれか１項に記載の踏破証明書発行システム。
【請求項６】
前記端末装置は、ＧＰＳ機能付きの携帯電話であることを特徴とする請求項１〜５のいずれか１項に記載の踏破証明書発行システム。
【請求項７】
前記ユーザーが前記端末装置に選択して入力する前記踏破地点証明データとしての踏破地点名称を予め記憶しておく踏破地点名称記憶手段を有することを特徴とする請求項１〜６のいずれか１項に記載の踏破証明書発行システム。
【発明の詳細な説明】
【技術分野】
【０００１】
本発明は、例えば、トレッキングや登山における任意の踏破地点で結ばれる踏破区間を踏破したことを証明する踏破証明書を発行する踏破証明書発行システムに関するものである。
【背景技術】
【０００２】
従来、例えばトレッキング区間を踏破したことを証明する踏破証明を発行してもらう場合は、一般的には、所定の記録用紙に踏破日時や踏破区間などの踏破情報を記入したもの、或いは所定の地点に設置したスタンプを押印したものを所定の認定機関や観光協会の事務局などに郵便やＦＡＸなどで送付し、これを受け付けた所定の認定機関や事務局が踏破証明書を送付するといったシステムになっている。
【０００３】
このようなシステムの場合、申請者が単に所定の記録用紙に踏破情報を記録するだけでは踏破情報の真偽を証明する手段が無いため信頼性が低いものとなり、また、スタンプを押印するものはこのスタンプを設置した限られた区間のみにしか対応できないので、任意のトレッキング区間に対応するといったような汎用性は無い。
【０００４】
更に、従来の踏破証明書は、単に踏破した人の住所、氏名、及び踏破日時と踏破地点を明記した標準的な証明書であり、真に踏破地点に存在したか否かの証明書としては、信頼性の低いものとなっている。
【０００５】
このような従来の踏破証明書或いは登頂証明書の信頼性の低さを改善した証明書の発行システムが提案されている。例えば、近年、携帯電話の進歩によりＧＰＳ機能が付加した携帯電話も一般的になり、この携帯電話のＧＰＳ機能を利用した登山者の登頂を証明する登頂証明装置が提案されており（特許文献１）、この登頂照明装置は、登山者が登頂した山の名称や登頂日時などの登頂証明情報が示された登頂証明書を取得することもできるようになっている。
【先行技術文献】
【特許文献】
【０００６】
【特許文献１】特開２００４−２６５０３０号公報
【発明の概要】
【発明が解決しようとする課題】
【０００７】
この特許文献１に示される登頂証明書は、登山者の位置を衛星によって把握し実際に存在している位置を確認しているので登頂位置を証明する点では、その信頼性は高いものであり、更に任意の登頂地点での存在を容易に証明することができるものである。
【０００８】
しかしながら、この特許文献１に示される登頂証明書は、従来の証明書に記載されている内容と殆ど差がなく、例えば写真などの視覚的な面で存在を証明するものはなく、また、位置の証明に関しての信頼性は向上しても、登頂の日時を証明する点においては、従来と同様、これを証明するものはなく、登頂証明書としてはその価値が十分発揮されないものとなっている。
【０００９】
そこで、本発明は、例えば、トレッキングや登山における任意の踏破地点で結ばれる踏破区間を踏破した際の踏破日時と踏破地点に存在したことを証明する情報を記載した信頼性の高い踏破証明書を作成・発行することができる踏破証明書発行システムを提案することを目的とする。
【課題を解決するための手段】
【００１０】
添付図面を参照して本発明の要旨を説明する。
【００１１】
任意の踏破地点で結ばれる踏破区間を踏破したことを証明する踏破証明書を前記踏破区間を踏破したユーザーに発行する管理サーバを備えた踏破証明書発行システムであって、前記管理サーバは、前記任意の踏破地点夫々で端末装置から送信されユーザーがこの踏破地点に存在したことを証明する踏破証明データとしての前記踏破地点の位置データと前記踏破地点で撮影した画像データと前記画像データを取得した画像データ取得時刻若しくは該画像データを送信した画像データ送信時刻を記憶した時間データとを受信する踏破証明データ受信手段と、前記時間データと同じ時間帯の気象データを取得する気象データ取得手段と、前記踏破証明データが送信された第一踏破地点を示す第一踏破地点表示と前記踏破証明データが送信された第二踏破地点を示す第二踏破地点表示とを付記して前記踏破区間を表示した地図データを取得する地図データ取得手段と、所定のフォーマットに前記踏破区間の第一踏破地点と第二踏破地点とにおける夫々の前記踏破証明データ及び前記気象データ並びに前記踏破区間を示す第一踏破地点表示と第二踏破地点表示とを付与した地図データをレイアウトした踏破証明書データを作成する踏破証明書データ作成手段と、前記管理サーバにアクセスしてきた端末装置に踏破証明書データを送信する踏破証明書データ送信手段とを有することを特徴とする踏破証明書発行システムに係るものである。
【００１２】
また、前記管理サーバは、前記ユーザーが所定ルートの予め定めた踏破地点、若しくは所定ルートの前記ユーザーが選んだ踏破地点で携帯型の前記端末装置の画像データ取得手段でユーザーが取得した前記画像データと、この画像データを取得した際に自動的に付与される前記時間データと、前記位置データとを受信する前記踏破証明データ受信手段を有することを特徴とする請求項１記載の踏破証明書発行システムに係るものである。
【００１３】
また、前記位置データは、緯度経度データであることを特徴とする請求項１，２のいずれか１項に記載の踏破証明書発行システムに係るものである。
【００１４】
また、前記気象データは、気象庁が提供する気象衛星画像データであり、この気象衛星画像データは第三者認証機関から前記気象データ取得手段を用いて取得することを特徴とする請求項１〜３のいずれか１項に記載の踏破証明書発行システムに係るものである。
【００１５】
また、前記踏破地点証明データを受信した際に、この踏破地点証明データに第三者が発行する認証コードを付与するために第三者認証機関に該踏破地点証明データを送信し、前記第三者認証機関が認証コードを付与した前記踏破地点証明データを受信する認証データ付与手段を有することを特徴とする請求項１〜４のいずれか１項に記載の踏破証明書発行システムに係るものである。
【００１６】
また、前記端末装置は、ＧＰＳ機能付きの携帯電話であることを特徴とする請求項１〜５のいずれか１項に記載の踏破証明書発行システムに係るものである。
【００１７】
また、前記ユーザーが前記端末装置に選択して入力する前記踏破地点証明データとしての踏破地点名称を予め記憶しておく踏破地点名称記憶手段を有することを特徴とする請求項１〜６のいずれか１項に記載の踏破証明書発行システムに係るものである。
【発明の効果】
【００１８】
本発明は上述のように構成したから、トレッキングや登山において無数に存在する任意の踏破地点で結ばれる踏破区間を踏破したことを証明する信頼性の高い踏破証明書を提供することができる画期的な踏破証明書発行システムとなる。
【００１９】
即ち、単に、踏破日時や踏破地点だけを記載した従来の踏破証明書とは違って、実際に踏破した踏破区間を示す二点の踏破地点の写真を添付することで実際に踏破地点に存在したことを証明するとともにコメモレーション的な要素も有し、しかも、ユーザーがこの踏破地点に存在した時間（到達した時間）、例えば踏破地点の写真撮影を行いこの踏破地点に存在したことを証明する画像データを取得した時間や、前記画像データを踏破証明書を発行する側、例えば管理サーバに送信した画像データ送信時刻を記憶した日時と同じ時間帯に取得した気象データ、例えば気象庁が提供する気象衛星画像データを付与することで、踏破地点に存在した日時を示す時間データの信頼性をより一層高いものとすると共に、エンターテインメント的要素も含みビジュアル的にも楽しめるものとなる。
【００２０】
即ち、この気象庁が提供する気象衛星画像データは、刻一刻と雲の配置が変化するので、雲の配置から日時を特定することができるので、この気象衛星画像データを取得した時間、即ち、踏破地点に存在しこの気象衛星画像データを取得した時間を証明するものとして有効なものとなる。
【００２１】
また更に、例えば踏破地点で取得した画像データを前記管理サーバに送信する際に、例えばユーザーが所有する端末装置、例えばＧＰＳ機能付き携帯電話でユーザーの位置を位置データ（例えば、緯度経度情報など）として取得し、この位置データを画像と一緒に送信することで、地図データ取得手段によって取得した踏破区間付近を示した地図データに位置情報として取得した踏破地点を例えば矢印や目印などを付記して踏破区間を容易に視認できるので、例えば、この位置データを緯度経度情報として取得すれば、より正確な踏破地点を地図データ上に表示することができるので、踏破区間もより正確に表示されビジュアル的にも信頼性の高い踏破証明書となる実用性に優れた踏破証明書発行システムとなる。
【００２２】
また、踏破証明書データ送信手段でいつでも、どこへでも踏破証明書データを送信することができるので、ユーザーは端末装置さえあれば、一々持ち歩かなくとも、いつでも、どこでも踏破証明書データを閲覧したり、この踏破証明書データを他人に見せたりすることができ、また、必要に応じてこの踏破証明書データを印刷することで容易に踏破証明書を得ることができる実用性に優れた画期的な踏破証明書発行システムとなる。
【図面の簡単な説明】
【００２３】
【図１】本実施例のシステム構成を示す図である。
【図２】本実施例の機能ブロック一覧を示す図である。
【図３】本実施例の全体フローを示す図である。
【図４】本実施例を携帯電話のみで完結する場合のフロー図である。
【図５】本実施例が発行する踏破証明書を示す図である。
【発明を実施するための形態】
【００２４】
好適と考える本発明の実施形態を、図面に基づいて本発明の作用を示して簡単に説明する。
【００２５】
ユーザーは、自分が踏破地点に存在したことを証明するために、端末装置、例えば携帯電話の画像データ取得手段で踏破地点の写真を撮影して画像データを取得し、また、携帯電話のＧＰＳ機能を利用して踏破地点の位置データ、例えば、緯度経度情報を取得し、この踏破地点で取得した画像データと位置データと、この踏破地点で画像データを取得した画像データ取得時刻若しくは画像データを送信した画像データ送信時刻を記憶した時間データとからなる踏破証明データを、踏破証明書の発行・管理を行うＷｅｂサイトの管理サーバに送信する。
【００２６】
このユーザーから送信された踏破証明データを、前記管理サーバの踏破証明データ受信手段で受信し、この受信した踏破証明データにおいて、時間データの信頼性を向上させる目的として、気象データ取得手段でこの時間データに示される日時と同じ時間帯の気象データ、例えば気象庁が提供する気象衛星画像データを取得する。
【００２７】
また、受信した位置データをもとに、地図データ取得手段で踏破地点を含む地図データを取得する。この地図データには、ユーザーが踏破地点証明データを取得しユーザーが踏破した任意の踏破区間を示す第一踏破地点を示す第一踏破地点表示と第二踏破地点を示す第二踏破地点表示とが付記されている。
【００２８】
このようにして取得した踏破地点証明データとしての画像データ，位置データ，時間データと気象衛星画像データと地図データとを、踏破証明書作成データ作成手段で所定のフォーマット上にレイアウトし踏破証明書データを作成する。
【００２９】
この作成した踏破証明書データは、ユーザーから管理サーバに踏破証明書データの閲覧の要求があった際に、踏破証明書データ送信手段でユーザーの端末装置、例えば、携帯電話やパーソナルコンピュータ（以下、パソコンと称する。）に送信されるので、ユーザーは携帯電話の画面やパソコンのディスプレイで踏破証明書データを閲覧することができ、また、必要に応じてプリンタなどの印刷手段を用いて画面に表示される踏破証明書データを印刷することで容易に踏破証明書を作成することができる。
【００３０】
尚、上述したユーザーと管理サーバとの通信は、インターネットを介して行われるものとする。
【００３１】
このように、本発明は、従来のような紙面での踏破証明書とは異なり、端末装置の画面で容易に閲覧可能な踏破証明書を発行することができるので、端末装置、例えば携帯電話やパソコンがあれば、いつでも、どこでも踏破証明書データを閲覧することができるので、一々踏破証明書を持ち歩く必要がなく、しかも、この踏破証明書データには、ユーザーが踏破地点に存在したことを証明する画像データがあり、更に、踏破地点がどの辺りなのかを容易に確認することができる踏破区間が示された地図データも表示され、また更に、例えば、画像データと一緒にこの画像データを取得した時間と同じ時間帯に取得された気象衛星画像データが表示されるので、信頼性の高い踏破証明書となるとともに、ビジュアル的にも楽しめるエンターテインメント的要素も含んだ画期的な踏破証明書を発行することができる実用性に優れた踏破証明書発行システムとなる。
【実施例】
【００３２】
本発明の具体的な実施例について図面に基づいて説明する。
【００３３】
本実施例は、トレッキングや登山における任意の踏破地点で結ばれる踏破区間を踏破したことを証明する踏破証明書を発行する踏破証明書発行システムであり、システム構成は、図１に示すように、トレッキングや登山における任意の踏破地点で結ばれる踏破区間を踏破し、この踏破証明書を閲覧・発行を要求するクライアント、即ちユーザー側の端末装置、例えば携帯電話やパソコンなどと、踏破証明書を発行する側の管理サーバと、踏破証明書の信頼性を向上する機能を付与する第三者認証機関の第三者認証サーバとで構成するものである。
【００３４】
例えば、ユーザー側の携帯電話からＷｅｂアクセス（いわゆるホームページなどの踏破証明書を発行する管理サイトに接続すること）すると、サーバへ接続され、サーバは携帯電話のキャリアを自動判別し、最適な環境で画面表示する構成としている。
【００３５】
また、パソコンを使用する場合は、パソコンはブラウザベースであるためＯＳ（オペレーティングシステム）は問わず、ユーザー毎に設定するＩＤとパスワードを入力することで、個人のＷｅｂページにアクセスすることができる構成としている。
【００３６】
また、踏破証明書はファイル形式で生成するため、ダウンロードやアップロードでデータ交換することができ、プリンタで印刷することができ、また、携帯電話で撮影した画像データは、パソコンでも同じデータを閲覧可能としている。
【００３７】
また、本実施例における踏破証明書発行システムは、具体的には、図２に示すように、携帯電話やパソコンなどの端末装置が有する機能と、管理サーバが有する機能とに分けられ、端末装置はメール処理手段，画像データ取得手段，位置データ取得手段，および画像データ表示手段とで構成し、管理サーバはユーザー登録処理手段，個体識別処理手段（ログイン処理手段），メール処理手段，踏破証明データ受信手段，地図データ取得手段，認証データ付与手段，気象データ取得手段，踏破証明書データ作成手段，踏破証明書データ送信手段，踏破地点名称記録手段，システム管理手段とで構成している。
【００３８】
具体的に説明すると、端末装置に関しては、メール処理手段は、ユーザーが登録処理を行う際のユーザー情報や踏破地点と踏破証明データを管理サーバに送信するものであり、携帯電話やパソコンに予め付与されているメール機能を利用するものである。
【００３９】
また、画像データ取得手段は、具体的には、ユーザーが所有する携帯電話に付属しているカメラ機能であり、取得した画像データは前述したメール処理手段で管理サーバへ送信される。
【００４０】
また、位置データ取得手段は、本実施例では携帯電話のＧＰＳ機能のことをいい、位置データとして踏破地点を示す緯度経度情報を取得するものである。
【００４１】
また、踏破地点画像データ表示手段は、管理サーバの踏破証明書データ送信手段から送信された画像データ、即ち、ユーザーが踏破地点で取得した画像データを表示するものであり、使用する携帯電話のメモリ容量を考慮し、データが多い場合は複数ページに分割して表示する構成としており、前記画像データ以外にも地図データや気象データ（気象衛星画像データ）を表示することができる。
【００４２】
また、管理サーバに関しては、ユーザー登録処理手段は、ユーザーが所有する携帯電話またはパソコンからユーザーの住所や氏名などのユーザー情報を取得しこれを後述するデータ記憶手段に記憶させるとともに、ユーザーに対して個別のＩＤとパスワードを付与する機能を有するものである。
【００４３】
このユーザー登録処理手段で行われるユーザー登録処理は、ユーザー側の手間を省くため、後述するメール処理手段を用いて、ユーザーからの空メールを受信することでユーザー側のメールアドレスを自動取得するものとし、この取得したメールアドレスにユーザー登録用のＵＲＬ（Uniform Resource Locator、いわゆるインターネット上のアドレス）を送信し、ユーザーは必要な登録情報を入力することで登録が確認され、個別のＩＤとパスワードを取得することができる。
【００４４】
また、個体識別処理手段は、上述したユーザー登録時にユーザーの携帯電話が有する個体識別番号を取得するものであり、一度ログインすると、管理サーバへこの個体識別番号を利用してログインなしで個人を特定する構成とし、ユーザー側の入力処理を省略し、操作性、利便性の向上が図られている。
【００４５】
尚、この個体識別処理手段は携帯電話を利用した場合にのみ対応するものであり、パソコンを利用する場合は、ログイン操作が必要となり、ＩＤ・パスワードを入力することでユーザーを識別しログインできる構成としている。
【００４６】
また、メール処理手段は、メールのリンク機能を活用し、前述したユーザー登録処理や再登録、或いは正規ユーザーとなるための通信に用いるものであり、前述したように、ユーザーは空メールを送信するだけで良いので、ユーザー自身は自分のメールアドレスを知らなくてもユーザー登録が可能となっている。
【００４７】
また、踏破証明データ受信手段は、ユーザーが送信した踏破証明データを受信するものであり、具体的には、ユーザーが所定ルートの予め定めた踏破地点、若しくは所定ルートのユーザーが選んだ踏破地点で携帯型の端末装置の画像データ取得手段、即ち、携帯電話のカメラ機能を利用してユーザーが取得した画像データと、この画像データを取得した際に自動的に付与される時間データと、この携帯型端末装置の位置データ取得手段、即ち、前記携帯電話のＧＰＳ機能を利用して取得した位置データとをインターネットを介して受信し、ＣＰＵ（Central Processing Unit）で読み込み処理を行うものである。
【００４８】
また、地図データ取得処理手段は、ユーザーから送信された位置データをもとに、例えば、インターネットを介して第三者の地図データ提供機関からこの位置データを含む地図データを取得するものであり、この取得した地図データは、踏破証明データが送信された第一踏破地点を示す第一踏破地点表示と、前記踏破証明データとは異なる踏破地点で取得した踏破証明データが送信された第二踏破地点を示す第二踏破地点表示とを表示して踏破区間を表示した構成、即ち、例えば踏破区間の出発地点を示す出発点表示と終着地点を示す終着点表示とを付記して前記踏破区間が一目瞭然に表示された構成としている。
【００４９】
この第一踏破地点表示（出発点表示）及び第二踏破地点表示（終着点表示）は、この地図データを提供する第三者の地図データ提供機関が付記する構成、或いは、前記地図データ提供機関からは位置データを含む地図データだけを取得し、この取得した地図データに踏破地点表示手段を用いて付記する構成としても良く、適宜対応可能なものとする。
【００５０】
また、認証データ付与手段は、受信した踏破証明データをより信頼性の高いものとするために、ユーザーから送信された踏破証明データを第三者認証機関に送信し、第三者認証機関が発行する認証コードが付与された踏破証明データを受信するものである。
【００５１】
また、気象データ取得手段は、前述した画像認証処理手段と同様に、受信した踏破証明データをより信頼性の高いものとするために、ユーザーから送信された踏破証明データの時間データを第三者認証機関に送信し、第三者認証機関が提供する前記時間データに示される時間と同じ時間帯に取得した気象庁が提供する気象衛星画像データを受信するものである。尚、大気の状態により所望の時間帯の気象衛星画像データを取得することができない場合には、代替画像を取得し、これを表示する構成としている。
【００５２】
この認証データ付与手段と気象データ取得手段は、本実施例においては同一処理手段とし、画像データと時間データを第三者認証機関に送信し、第三者認証機関から認証コードが付与された画像データと気象データを受信する構成としている。
【００５３】
また、踏破証明書データ作成手段は、所定のフォーマットに踏破区間を示す第一踏破地点と第二踏破地点とにおける夫々の踏破証明データ及び気象データ並びに踏破区間を示す第一踏破地点表示と第二踏破地点表示とを付記した地図データをレイアウトし、携帯電話やパソコンで閲覧可能な状態にするものであり、この踏破証明書作成手段で生成した踏破証明書データはファイル形式で生成され、インターネット上で送受信可能なデータとし、この踏破証明書データは踏破証明書データ送信手段を用いてユーザーの端末装置に送信される構成としている。
【００５４】
この踏破証明書データ作成手段で生成した踏破証明書データを踏破証明書としてプリントアウトした際は、ユーザーが会員登録した際に登録した氏名またはグループ・団体名及び住所，踏破日時，踏破区間を示す踏破地点の名称（二踏破地点以上），踏破地点で撮影した写真の画像データ，この画像データを取得した時間と同じ時間帯に取得した気象データ（具体的には、気象庁が提供する気象衛星ひまわりが撮影した気象衛星画像データ），この気象データを発行する第三者認証機関が発行した認証コード，踏破区間を示す第一踏破地点と第二踏破地点とが矢印や目印などの踏破地点表示が付記され踏破区間が容易に視認可能な地図データ，踏破地点の位置データとしての緯度・経度が記載・添付され、証明書としての信頼性が高く、更にビジュアル的にも充実しておりコメモレーションとしての価値も高く、エンターテインメント性も兼ね備えた従来には無い画期的な踏破証明書となる。
【００５５】
また、踏破地点名称記憶手段は、上述した踏破証明書データに表示される踏破地点の名称を予め記憶しておくメモリであり、ユーザーが踏破地点を入力する際に、この踏破地点名称記憶手段から踏破地点の名称データを取得し踏破地点の名称一覧をユーザーの端末装置に表示することができる。
【００５６】
また、踏破地点の名称一覧にユーザーが踏破した踏破地点の名称が無い場合は、ユーザーは一覧から選択せずに直接踏破地点の名称を入力するように構成しており、例えば、このユーザーが新たに入力した踏破地点の名称をこの踏破地点名称記憶手段に都度追加記憶させるように構成しても良い。
【００５７】
また、システム管理手段は、管理サーバ全体を管理するメニューを有するものであり、ユーザー管理、機密保持管理、踏破地点の名称データベース、踏破地点の一覧表示、生成した踏破証明書データの保管、システムの保守などを行うものである。
【００５８】
図３は、本実施例における踏破証明書発行システムの全体フローを示したものである。
【００５９】
ユーザーは携帯電話またはパソコンからＷｅｂにアクセスすると、このアクセスしたユーザーが未登録か登録済かを識別し、未登録の場合はユーザー登録処理を行う画面を表示し、ユーザーは表示された指示に従ってユーザー登録を行い、管理サーバはこのときユーザーの携帯電話の個体識別番号を取得し、ＩＤ・パスワードを発行する。
【００６０】
具体的な手順としては、例えば、端末装置として携帯電話を利用する場合は、ＱＲコード（Quick Response Code）など手入力不要の手段でＷｅｂブラウザにアクセスし、画面に表示された指示し従い管理サーバに空メールを送信する。この空メールを送信すると、折り返し管理サーバからユーザー登録用のＵＲＬが表示されたメールが送信されるので、ユーザーはユーザー登録用のＵＲＬにアクセスし、所定のユーザー情報（氏名・住所・電話番号など）を入力し、登録する。
【００６１】
登録が確認されると、管理サーバ側から会員登録完了のメールが送信され、ユーザーは個人識別用のＩＤとパスワードを取得する。
【００６２】
また、ユーザー登録時の通信時にユーザーの携帯電話の個体識別番号を同時に取得し、最初に管理サーバにログインした以降、携帯電話からアクセスした場合は、この個体識別番号を自動で認識しＩＤ・パスワードを入力するといったログイン処理なしで個人を特定しログインした状態となる。
【００６３】
即ち、会員登録時に取得するＩＤ・パスワードはユーザーが所有する携帯電話からアクセスする場合は不要であり、パソコンや他の携帯電話からアクセスするときに個人を識別するために用いるものとしている。
【００６４】
また、アクセスしたユーザーが既に登録済の場合は、ユーザーが踏破地点を証明するための画像データを取得するためにアクセスしたのか、或いは過去に送信した踏破証明データを閲覧するためにアクセスしてきたのかをユーザーに確認する処理確認画面を表示し、この処理確認表示画面には、踏破地点を撮影した画像データを取得する操作を行う画面を表示する画像データ取得用ＵＲＬと閲覧手続きの操作を行う画面を表示する踏破証明データ閲覧用ＵＲＬとが表示される。
【００６５】
踏破証明データとして踏破地点の画像データを取得する場合、画像データ取得用ＵＲＬを選択すると、携帯電話の画面に操作手順が表示され、ユーザーは指示に従って携帯電話を操作し踏破証明データ（具体的には画像データ及び位置データ）を取得し、これを管理サーバへ送信する。
【００６６】
具体的には、予め登録されている踏破地点の名称一覧が表示されるので、ユーザーはその中から自分のいる踏破地点の名称を選択する。また、自分のいる踏破地点の名称が一覧に無い場合は、その他を選択し、所定の欄に新たに踏破地点の名称を入力する。
【００６７】
踏破地点の名称を入力すると携帯電話の画面が自動でメール送信画面に変わり、このメール送信画面のまま、携帯電話のカメラ機能を利用して踏破地点の写真撮影を行い、踏破地点の存在を証明する画像データを取得する。
【００６８】
次に、携帯電話のＧＰＳ機能（位置データ取得手段）を利用して、ユーザーの現在位置、即ち、踏破地点の位置情報（本実施例では踏破地点の緯度経度情報）を取得する。
【００６９】
尚、携帯電話によっては、踏破地点の名称入力画面からメール送信画面に移行する際に、自動的に位置データを取得するものもある。
【００７０】
画像データ及び位置データを取得後、送信ボタンを押し、データを管理サーバへ送信することでユーザーの踏破証明データの登録作業は完了する。
【００７１】
また、踏破証明データを閲覧する場合、踏破証明データ閲覧用ＵＲＬを選択すると、ユーザーが過去に登録した踏破区間の一覧が表示され、ユーザーは閲覧したい踏破区間を選択すると、例えば、携帯電話で閲覧する場合は、画面サイズが小さいため、全ての踏破証明データや取得したデータを表示することができないので、踏破区間を示す夫々の踏破地点の名称とこの踏破地点で記憶した時間データ及び第三者認証機関から付与された認証コードと踏破区間を示す踏破地点表示が付記された地図データとが画面に表示され、閲覧したい踏破地点の名称をクリックするとこの踏破地点で取得した画像データとこの踏破地点に存在した時間に取得した気象衛星画像データとを表示した画面に切り替わる構成としている。
【００７２】
また、パソコンで閲覧する場合は、一画面で全ての踏破証明データや取得したデータを表示する構成としても良いが、一括表示すると全体的に表示が小さくなり閲覧しにくいので、本実施例においては、踏破区間を示す夫々の踏破地点の名称とこの踏破地点で記憶した時間データ及び第三者認証機関から付与された認証コードと踏破区間を示す踏破地点表示が付記された地図データ及び一踏破地点を示す画像データ及び気象衛星画像データを表示する構成とし、別の踏破地点の名称をクリックするとその踏破地点で取得した画像データと気象衛星画像データに切り替わる構成としている。
【００７３】
また、ユーザーが踏破証明書の発行を要求した際には、踏破証明書データを踏破証明書発行手段で所定のフォーマットに全てのデータをレイアウトした踏破証明書発行用データを送信し、ユーザーのパソコン画面に表示させ、ユーザーはこの踏破証明発行用データをプリンタなどの印刷手段で印刷し踏破証明書を得ることができる構成としている。
【００７４】
上述した全体フローでは、端末装置として携帯電話若しくはパソコンのいずれかの手段を用いることでフローを完結する構成を示したが、本実施例の踏破証明書発行システムは、利便性を考慮し携帯電話だけでも登録から踏破証明書の作成までの全ての作業を行うことができるように構成しており、図４はこの携帯電話のみの利用での作業（操作・処理）フローを示すものである。
【００７５】
本実施例は上述のように構成したので、任意の踏破区間において、この踏破区間を踏破したことを証明するための踏破証明書を作成するに当たって、端末装置としてＧＰＳ機能とカメラ機能が備わっている携帯電話さえあれば、ユーザーが所望する踏破地点で管理サーバにアクセスして画面に表示された指示に従ってこの踏破地点に存在したことを証明するための踏破証明データを取得し送信するだけで、信頼性の高い踏破証明書データを作成することができ、更に、この踏破証明書データは、携帯電話やパソコンがあれば、いつでも、どこでも閲覧することができ、しかも、この踏破証明書データには、図５に示すように、ユーザーが踏破地点に存在したことを証明する画像データがあり、更に、踏破地点がどの辺りなのかを容易に確認することができる踏破区間が示された地図データも表示され、また更に、例えば、画像データと一緒にこの画像データを取得した時間と同じ時間帯に取得された気象衛星画像データが表示されるので、信頼性の高い踏破証明書となり、更に、ビジュアル的にも楽しめるエンターテインメント的要素も含んだ画期的な踏破証明書を発行する踏破証明書発行システムとなる。
【００７６】
また、本実施例の踏破証明書発行システムは、複数の踏破地点の踏破証明データを受信し記憶することができるので、例えば、本実施例の踏破証明書発行システムを登山の入山管理に利用することもできる。
【００７７】
具体的には、入山時に管理サーバにアクセスすることで入山した地点と日時が記録され、下山した時点で再度管理サーバにアクセスすることで無事下山したことが確認されるものである。更に、例えば、登頂途中で管理サーバにアクセスし登頂位置とその時間を記録しておくことで、万が一、遭難した場合でも、途中までの状況が記録されているので捜索範囲を特定することができ、救助の際、早期発見に役立てることができる実用性に優れた踏破証明書発行システムとなる。
【００７８】
尚、本発明は、本実施例に限られるものではなく、各構成要件の具体的構成は適宜設計し得るものである。
【図１】
2012083912.tif 000003
【図２】
2012083912.tif 000004
【図３】
2012083912.tif 000005
【図４】
2012083912.tif 000006
【図５】
2012083912.tif 000007